(57)【特許請求の範囲】
【請求項１】
上下ケースを組み合わせたケース本体内にテープを巻回したテープリールを収納し、テープカセットの前面側にテープ走行用の開口部を有し、該開口部を開閉する前蓋を備え、更に前蓋を閉じた状態でロックする蓋ロック部材を備えたテープカセットを収納する本体部及び蓋部及び連結部を一体に形成したテープカセット用収納ケースにおいて、本体の各側壁の内面にはテープカセットの前後左右方向のための位置規制リブを有し、蓋部には蓋部を閉じた時にカセット上面に対向する位置にカセットの上下方向の位置規制をする位置規制リブがあり、更に、蓋部の側壁内面にはカセット前蓋上面の少なくとも蓋ロック部材の無い側の側面近傍部に対応する位置に前蓋開き防止リブを設けたことを特徴とする収納ケース。
【発明の詳細な説明】
【０００１】
【発明の属する技術分野】
本発明はテープカセット等を収納するのに適した収納ケース、特に本体部と蓋部と両者を連結する連結部を一体形成した収納ケースに関する。
【０００２】
【従来の技術】
従来のテープカセットを収納するケースの一種として、本体部と、蓋部と、前記本体及び蓋部を連結する連結部より構成された一体形成したプラスチックケースが知られている。この型の収納ケースは放送局等で使用される業務用のテープカセットを保管、運搬するに際に保護するのに良く使用されている。
小型、軽量（例えば、８ｍｍテープカセット、ＶＨＳ−Ｃ、ＤＡＴ等）のテープカセットであればこのような位置規制方式を採用しても構わないが、比較的大型、重量（ＶＨＳ、業務用ビデオカセット等）のテープカセットを収納するケースでは、カセットと収納ケースとの接触面積が大きく、擦れ傷などが発生することがあるので、収納ケースの内面に位置規制リブを設けて、前後、左右の位置規制を行う必要が出てくる。
例えば実開平５−９５８８８号等では、収納されるテープカセットの向きと前後左右の位置を規制するために、収納ケースの本体部の各側壁内面の数カ所に内方に突出するナイフエッジ状のリブが形成されている。しかし、一般にこれらの位置規制手段は、テープカセットの挿入を容易にするために、位置規制リブの上側は案内テーパが付けたられており、しかも挿脱を容易にするためと寸法誤差を許容するためにテープカセットとの間にがたつきを防止するがなお充分な隙間を有するように、緩やかな位置規制がされている。この構成であると小型のテープカセットでは格別の問題は生じない。
【０００３】
一方、テープカセットはカセット前面にテープの繰り出し、走行、巻き取りを行うために開口部を有しており、図７に示すようにテープカセット５０を不使用時にはゴミや埃から防御するための前蓋５２を備えており、また、前蓋５２を閉方向に規制するばね部材が前蓋の回動軸に配備されている。また、前蓋の不用意な開き状態を防止するために一般的にはカセットハーフの一方の側面には前蓋を閉じた状態にロックするロック部材５３が配備されている。
【０００４】
【発明が解決しようとする課題】
ところが、大型で重量のある業務用のテープカセットでは、テープカセットを収納ケースに収納した状態で外的振動や落下、倒れなどの衝撃が加わると、カセットの前蓋５２のロックされていない側が衝撃によって瞬間的に開き、前蓋の慣性が大きいためにさらに前蓋の前面において収納ケースの連結部側の壁の内面に設けられた水平方向（カセット前後方向）の位置規制用リブに乗り上げてしまい、そのまま下に戻れないで前蓋が開いたままの状態が生じてしまう。図８はこの問題を図示するものであり、収納ケース６０は本体部６１、蓋部６２及びこれらを連結する連結部６３よりなり（図示の都合上透明体樹脂製の場合を示した）、本体側壁の内面には前方位置規制リブ６３’、後方位置規制リブ６５、側部位置規制リブ６４を設けたものである。なお、蓋部６２の側壁の内面に設けたリブ６６は単なる補強リブである。この収納ケースにテープカセット５０を収納した状態で図８の（ａ）の状態から（ｂ）の状態に収納ケースが倒れると、テープカセットでは加わる衝撃により前蓋５２のロックのない側は開放しようとするが、小型のテープカセットならば前方位置規制リブ６３’により開放が阻止されるはずのところ、重量の大きい業務用テープカセットでは、大きい慣性のため前蓋は前方位置規制リブ６３’に乗り上げてしまう。
この状態で放置されるとテープは収納ケース内ではあるがゴミや埃が付着したり、また、前蓋のロック部材のない側面の前蓋のみが位置規制リブに乗り上げた場合前蓋が捩れた状態になり、前蓋の変形となって収納ケースからカセットを取り出した後でも前蓋は通常の閉じ状態とならない問題となっていた。
なお、前蓋側の位置規制リブの高さを高くすれば良いのではないかとの疑問が生じるが、テープカセット、収納ケース共にバラツキがあり、また前蓋前面に切欠部もあり、位置規制リブを高くしてしまうと、カセット収納時に位置規制リブによって引っかかり前蓋が開いてしまうことがあるので好ましくない。
そこで、本発明は収納ケース内のカセットの落下等の際に加わる外力による衝撃、その他の外的要因で前蓋に開放方向の力が加わる時でも前蓋を開かせることはなく、テープの信頼性の確保及びカセットの部品変形を防ぐことを可能とすることを目的とする。
【０００５】
【課題を解決するための手段】
本発明は、カセット前蓋上面で前蓋ロック部材とは反対側に対応する位置において、前記前蓋の開放を阻止するリブを、収納ケースの蓋部材の内面に設けることにより、前蓋の開放を防止するものである。
本発明はまた、カセットケースの上面に対応する位置規制リブとケースのクリアランスより前蓋に対応する前蓋開き防止リブと前蓋のクリアランスを大きくすることにより、衝撃が加わらない正常な状態では前蓋開き防止リブは前蓋に接触させず、そのため前蓋やその回動軸に応力が加わることがなく前蓋の機能が保全されるものである。
より具体的には、本発明は、上下ケースを組み合わせたケース本体内にテープを巻回したテープリールを収納し、テープカセットの前面側にテープ走行用の開口部を有し、該開口部を開閉する前蓋を備え、更に前蓋を閉じた状態でロックする蓋ロック部材を備えたテープカセットを収納する本体部及び蓋部及び連結部を一体に形成したテープカセット用収納ケースにおいて、本体の各側壁の内面にはテープカセットの前後左右方向のための位置規制リブを有し、蓋部材には蓋部材を閉じた時にカセット上面に対向する位置にカセットの上下方向の位置規制をする位置規制リブがあり、更に、蓋部の側壁内面にはカセット前蓋上面の少なくとも蓋ロック部材の無い側の側面近傍部に対応する位置に前蓋開き防止リブを設けたことを特徴とする。
本発明はまた、前記前蓋開き防止リブとテープカセットの前蓋上面のクリアランスをテープカセットのケースの上下方向位置規制リブと前記ケースとのクリアランスより大きくしたことを特徴とする。
【０００６】
【発明の実施の形態】
以下本発明を図１〜６を参照して詳しく説明する。
収納ケース１は、本体部２、蓋部３、連結部４からなり、それぞれが薄肉のヒンジ部５で一体に形成されている。本体部２はテープカセット５０を載置するために底板２１、側壁２２を有する。側壁２２はテープカセット５０の出し入れが簡単なように４隅部には設けるがその他は設けていない。４隅にＬ字形状の側壁を設けることで強度を高められるが、４隅以外の部分に低い側壁を設けてさらに強化しても良い。
側壁２２の内側にはテープカセット５０の前後左右方向の位置規制となる位置規制リブ２３、２３’が設けられる。図の例では後方（図１で本体部左側）に４個、左右壁（図１では本体部上側及び下側）にそれそれ２個、及び前方（図１で本体部右側）に４個設けられている。各位置規制リブ２３、２３’の上方は傾斜面２４とし、テープカセット５０を収納しやすいように案内面を提供している。前方位置規制リブ２３’は、位置規制部が板状に形成され、傾斜面２４の部分は２つのリブ状になっている。
蓋部３にはヒンジ部５以外の３方向に側壁３１を有し、蓋部３を閉じた時この３つの側壁３１と連結部４で収納ケース１の側壁を形成する。蓋部３の上板３２の中央には突起３３があるが、これはテープカセット５０のリールボタン５１に当接してテープカセット５０内のテープリール（図示せず）のガタツキを防止するためのものである。
【０００７】
また、上板３２にはテープカセット５０の上下方向の位置規制をする位置規制リブ３４が左右に設けられている。この位置規制リブ３４は側壁３１に連続するＬ字形状となっており、左右方向の位置規制リブとも兼用している。
上板３２のテープカセット５０の前蓋５２上面に対向する左右両端部には前蓋開き防止リブ３５がある。この前蓋開き防止リブ３５を設けたことで、テープカセット５０を収納時に外的振動や落下、倒れなどの衝撃を受けてもテープカセット５０の前蓋５２が瞬間的に開いて前後方向位置規制リブ２３に乗り上げることがなくなり、収納ケース１内で前蓋５２が開きっぱなしになる問題が発生することが無くなる。従って、収納ケース１内でもゴミや埃の付着は発生しないし、前蓋５２が捩じれた状態にもならないので前蓋５２の変形は発生しないで信頼性を確保できる。衝撃によって、前蓋が瞬間的に開く現象は前蓋５２の蓋ロック部材５３のない側に発生する。よって、前蓋開き防止リブ３５は蓋ロック部材５３のない側にのみ設ければ機能的には問題ないが、収納ケース１の成形性（成形バランス）を考慮して両側に設けても良い。
また、前蓋開き防止リブ３５と前蓋５２上面との隙間を上下方向の位置規制リブ３４とテープカセット５０上面との隙間より広くすることによって前蓋５２が開放する方向に力が加わった時以外は前蓋開き防止リブ３５によって直接前蓋５２に力が加わらないので、前蓋５２や前蓋回動軸（図示せず）にクラック等が発生することも無い。
【０００８】
【発明の効果】
以上のように、本発明によると、カセット前蓋上面で前蓋ロック部材とは反対側に対応する位置において、前記前蓋の開放を阻止するリブを、収納ケースの蓋部材の内面に設けることにより、前蓋の開放を防止するものである。より好ましくは、カセットケースの上面に対応する位置規制リブとケースのクリアランスより前蓋に対応する前蓋開き防止リブと前蓋のクリアランスを大きくすることにより、衝撃が加わらない正常な状態では前蓋開き防止リブは前蓋に接触させず、そのため前蓋やその回動軸に応力が加わることがなく前蓋の機能が保全されるものである。
【図面の簡単な説明】
【図１】本発明の収納ケースの平面図である。
【図２】（ａ）図１のＡ−Ａ断面図、（ｂ）図１のＢ−Ｂ断面図である。
【図３】本発明の収納ケースにテープカセットを収納させた平面図である。
【図４】本発明の収納ケースにテープカセットを収納させた斜視図である。
【図５】（ａ）図３の側面図、（ｂ）蓋を閉じた状態の側面図である。
【図６】図５の要部拡大図である。
【図７】テープカセット斜視図及び前蓋ロック部拡大図である。
【図８】従来例によるテープカセットの収納ケース内で前蓋が開く理由を示す図である。
【符号の説明】
１：収納ケース
２：本体部
３：蓋体部
４：連結部
５：ヒンジ部
２１：底板
２２：側壁
２３：位置規制リブ（左右前後方向）
２４：傾斜面
３１：側壁
３２：上板
３３：突起
３４：位置規制リブ（上下方向）
３５：前蓋開き防止リブ
５０：テープカセット
５１：リールボタン
５２：前蓋
５３：前蓋ロック部材
【図１】
0004028931.tif 000002
【図２】
0004028931.tif 000003
【図３】
0004028931.tif 000004
【図４】
0004028931.tif 000005
【図５】
0004028931.tif 000006
【図６】
0004028931.tif 000007
【図７】
0004028931.tif 000008
【図８】
0004028931.tif 000009